【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
画像記録媒体に記録された複数の画像情報を管理する画像管理装置と、前記画像管理装置により管理される前記画像情報に基づいて画像を表示する表示装置とを備える画像表示システムであって、
前記複数の画像情報は、対応する画像の内容に関連する識別情報を含み、
前記画像管理装置は、
前記画像記録媒体から前記画像情報を取得する画像取得手段と、
前記画像取得手段により取得された前記複数の画像情報に基づいて所定の画像をスライドショー再生する再生手段と、
前記画像情報の前記識別情報に基づいて、当該画像情報の前記再生手段による前記スライドショー再生の際のエフェクト処理を特定するエフェクト特定手段と、を備えることを特徴とする画像表示システム。
【請求項２】
画像を撮影して画像情報を取得する撮影手段と、前記撮影手段により取得された前記画像情報を記録する前記画像記録媒体を有する撮影装置を備え、
前記画像情報は、前記識別情報として、当該画像の撮影に用いた前記撮影装置の製造元固有の製造元固有情報を含むことを特徴とする請求項１に記載の画像表示システム。
【請求項３】
前記画像管理装置は、
前記画像取得手段により取得された前記複数の画像情報の前記製造元固有情報に基づいて、前記複数の画像情報を所定の分類項目毎に分類する画像分類手段を備えることを特徴とする請求項２に記載の画像表示システム。
【請求項４】
前記画像管理装置は、
前記複数の画像情報の分類に係る新規分類項目を入力する分類項目入力手段を備え、
前記画像分類手段は、さらに、前記分類項目入力手段により入力された前記新規分類項目に従って前記複数の画像情報を分類することを特徴とする請求項３に記載の画像表示システム。
【請求項５】
前記画像管理装置は、
前記製造元固有情報と前記エフェクト処理とを対応付けて記憶する記憶手段を備え、
前記エフェクト特定手段は、さらに、前記画像情報の前記製造元固有情報と対応付けられた前記エフェクト処理を前記記憶手段から取得して特定することを特徴とする請求項２〜４の何れか一項に記載の画像表示システム。
【請求項６】
画像記録媒体から複数の画像情報を取得する画像取得手段と、
前記画像取得手段により取得された前記複数の画像情報に基づいて所定の画像をスライドショー再生する再生手段と、
前記画像情報に含まれた、画像の内容に関連する識別情報に基づいて、当該画像情報の前記再生手段による前記スライドショー再生の際のエフェクト処理を特定するエフェクト特定手段と、
を備えることを特徴とする画像表示装置。
【請求項７】
前記識別情報は、前記画像情報が撮影された際の撮影モードを識別するものであることを特徴とする請求項６に記載の画像表示装置。
【請求項８】
前記識別情報は、前記画像の撮影に用いた撮影装置の製造元固有の製造元固有情報を含むことを特徴とする請求項６に記載の画像表示装置。
【請求項９】
前記製造元固有情報と前記エフェクト処理とを対応付けて記憶する記憶手段をさらに備え、
前記エフェクト特定手段は、前記画像情報の前記製造元固有情報と対応付けられた前記エフェクト処理を前記記憶手段から取得して特定することを特徴とする請求項８に記載の画像表示装置。
【請求項１０】
通信手段を更に備え、
前記画像取得手段が取得した画像情報に含まれた前記製造元固有情報が前記記憶手段に予め記憶されていなかった場合には、前記製造元固有情報と前記エフェクト処理とを対応付けるための情報を前記通信手段を用いて取得することを特徴とする請求項９に記載の画像表示装置。
【請求項１１】
画像記録媒体から複数の画像情報を取得し、
前記画像情報に含まれた、画像の内容に関連する識別情報に基づいて、当該画像情報のスライドショー再生の際のエフェクト処理を特定し、
前記複数の画像情報と前記特定されたエフェクト処理に基づいて所定の画像をスライドショー再生することを特徴とする画像表示方法。
【請求項１２】
前記識別情報は、前記画像情報が撮影された際の撮影モードを識別するものであることを特徴とする請求項１１に記載の画像表示方法。
【請求項１３】
前記識別情報は、前記画像の撮影に用いた撮影装置の製造元固有の製造元固有情報を含むことを特徴とする請求項１１に記載の画像表示方法。
【請求項１４】
前記画像情報に含まれた前記製造元固有情報が予め記憶されていなかった場合には、前記製造元固有情報と前記エフェクト処理とを対応付けるための情報をネットワークを通じて取得することを特徴とする請求項１３に記載の画像表示方法。
【請求項１５】
画像記録媒体に記録された複数の画像情報を管理する画像管理装置と、前記画像管理装置により管理される前記画像情報に基づいて画像を表示する表示装置とを備える画像検索システムであって、
前記複数の画像情報は、対応する画像の内容に関連する識別情報を含み、
前記画像管理装置は、
前記画像記録媒体から前記画像情報を取得する画像取得手段と、
前記画像取得手段により取得された前記複数の画像情報の中から、当該画像情報の前記識別情報に基づいて所望の画像の画像情報を検索する画像検索手段と、を備えることを特徴とする画像検索システム。
【手続補正２】
【補正対象書類名】明細書
【補正対象項目名】発明の名称
【補正方法】変更
【補正の内容】
【発明の名称】画像表示システム、画像表示装置、画像表示方法及び画像検索システム
【手続補正３】
【補正対象書類名】明細書
【補正対象項目名】０００１
【補正方法】変更
【補正の内容】
【０００１】
本発明は、複数の画像を表示する画像表示システム、画像表示装置、画像表示方法及び複数の画像の中から所望の画像を検索する画像検索システムに関する。
【手続補正４】
【補正対象書類名】明細書
【補正対象項目名】０００７
【補正方法】変更
【補正の内容】
【０００７】
そこで、本発明は、画像情報に含まれ、当該画像に関連する識別情報を用いてより利便性の高い画像表示システム、画像表示装置、画像表示方法及び画像検索システムを提供することを目的とするものである。
即ち、本発明の第一の課題は、画像に適正なエフェクト処理を施してスライドショー再生表示することができる画像表示システム、画像表示装置及び画像表示方法を提供することである。
また、本発明の第二の課題は、複数の画像の中から所望の画像の検索を適正に行うことができる画像検索システムを提供することである。
【手続補正５】
【補正対象書類名】明細書
【補正対象項目名】０００９
【補正方法】変更
【補正の内容】
【０００９】
請求項６に記載の発明は、
画像記録媒体から複数の画像情報を取得する画像取得手段と、前記画像取得手段により取得された前記複数の画像情報に基づいて所定の画像をスライドショー再生する再生手段と、
前記画像情報に含まれた、画像の内容に関連する識別情報に基づいて、当該画像情報の前記再生手段による前記スライドショー再生の際のエフェクト処理を特定するエフェクト特定手段と、を備えることを特徴としている。
【手続補正６】
【補正対象書類名】明細書
【補正対象項目名】００１０
【補正方法】変更
【補正の内容】
【００１０】
請求項１１に記載の発明は、画像記録媒体から複数の画像情報を取得し、
前記画像情報に含まれた、画像の内容に関連する識別情報に基づいて、当該画像情報のスライドショー再生の際のエフェクト処理を特定し、
前記複数の画像情報と前記特定されたエフェクト処理に基づいて所定の画像をスライドショー再生することを特徴としている。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
請求項１５に記載の発明は、
画像記録媒体（例えば、図１のメモリカード１３等）に記録された複数の画像情報を管理する画像管理装置（例えば、図１の画像管理装置２等）と、前記画像管理装置により管理される前記画像情報に基づいて画像を表示する表示装置（例えば、図１の表示装置３等）とを備える画像検索システム（例えば、図１のデジタルアルバムシステム１００等）であって、
前記複数の画像情報は、対応する画像の内容に関連する識別情報を含み、
前記画像管理装置は、
前記画像記録媒体から前記画像情報を取得する画像取得手段（例えば、図２のデータ読取部２１等）と、
前記画像取得手段により取得された前記複数の画像情報の中から、当該画像情報の前記識別情報に基づいて所望の画像の画像情報を検索する画像検索手段（例えば、図２のＣＰＵ２７等）と、を備えることを特徴としている。
【手続補正１０】
【補正対象書類名】明細書
【補正対象項目名】００１４
【補正方法】変更
【補正の内容】
【００１４】
本発明によれば、画像のスライドショー再生の際のエフェクト処理を、当該画像情報の内容に関連する識別情報に基づいて特定することができることとなり、画像の内容に関連する適正なエフェクト処理を施して複数の画像をスライドショー再生表示することができ、より利便性の高い画像表示システム、画像表示装置及び画像表示方法を提供することができる。
また、本発明によれば、複数の画像情報の中からの所望の画像情報の検索を、当該画像情報の内容に関連する識別情報に基づいて行うことができることとなり、所望画像の検索をより適正に、且つ、簡便に行うことができ、より利便性の高い画像検索システムを提供することができる。